【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
用紙を搬送路に沿って搬送する搬送機構と、
トナー像が形成された用紙を定着させる定着ローラと、
前記定着ローラを回転駆動するモータと、
前記定着ローラの下流側に配置された第一の用紙検出器と、
前記第一の用紙検出器と前記定着ローラとの間に設けられ、且つ、用紙が正常に搬送されている時には用紙を検知しない位置に設けられた第二の用紙検出器と、
前記モータに対する停止能力が異なる２つ以上の停止方法を有し、前記モータの駆動と停止を制御するコントローラを備え、
前記コントローラは、前記第一の用紙検出器が所定タイミングで用紙を検知していない場合、前記第二の用紙検出器が用紙を検知していなければ、複数の停止方法のうち停止能力の高い第一の停止方法で前記モータを停止させることを特徴とする画像形成装置。
【請求項２】
前記コントローラは、前記第一の用紙検出器が前記所定タイミングで用紙を検知していない場合、前記第二の用紙検出器が用紙を検知していれば、前記第一の停止方法よりも停止能力の低い第二の停止方法で前記モータを停止させることを特徴とする請求項１記載の画像形成装置。
【請求項３】
前記コントローラは、前記第二の用紙検出器が用紙を検知していない場合、前記用紙の長さが所定の長さよりも長ければ、前記第一の停止方法よりも停止能力の低い第二の停止方法で前記モータを停止させることを特徴とする請求項１記載の画像形成装置。
【請求項４】
前記コントローラは、前記第二の用紙検出器が用紙を検知していない場合、前記用紙の長さが前記所定の長さ以下であれば、前記第一の停止方法で前記モータを停止させることを特徴とする請求項１記載の画像形成装置。
【請求項５】
前記第一の停止方法は、前記モータを逆回転させる駆動電流を流す逆転ブレーキであることを特徴とする請求項１記載の画像形成装置。
【請求項６】
前記第二の停止方法は、前記モータの駆動電流の流れる回路をショートさせるショートブレーキであることを特徴とする請求項２記載の画像形成装置。
【請求項７】
更に、前記定着ローラの上流側に配置され、用紙を検知する第三の用紙検出器を備え、
前記第一の用紙検出器が前記所定タイミングで用紙を検知しておらず且つ前記第二の用紙検出器が用紙を検知していないことに応じて前記コントローラが前記モータを停止させる場合、前記第三の用紙検出器が用紙を検知してからその後に検知しなくなくなるまでの時間と前記用紙の長さ分の搬送時間との差が所定時間以上あれば、前記コントローラは前記第一の停止方法よりも停止能力の低い第二の停止方法で前記モータを停止させることを特徴とする請求項１記載の画像形成装置。
【請求項８】
更に、前記定着ローラの上流側に配置され、用紙を検知する第三の用紙検出器を備え、
前記第一の用紙検出器が前記所定タイミングで用紙を検知しておらず且つ前記第二の用紙検出器が用紙を検知していないことに応じて前記コントローラが前記モータを停止させる場合、前記第三の用紙検出器が用紙の後端を検知したことに応じて前記第一の停止方法で前記モータを停止させることを特徴とする請求項１記載の画像形成装置。
【手続補正２】
【補正対象書類名】明細書
【補正対象項目名】０００８
【補正方法】変更
【補正の内容】
【０００８】
本発明は、上述の目的を達成するため、以下（１）〜（８）の構成を備えるものである。
【手続補正３】
【補正対象書類名】明細書
【補正対象項目名】０００９
【補正方法】変更
【補正の内容】
【０００９】
（１）用紙を搬送路に沿って搬送する搬送機構と、トナー像が形成された用紙を定着させる定着ローラと、前記定着ローラを回転駆動するモータと、前記定着ローラの下流側に配置された第一の用紙検出器と、前記第一の用紙検出器と前記定着ローラとの間に設けられ、且つ、用紙が正常に搬送されている時には用紙を検知しない位置に設けられた第二の用紙検出器と、前記モータに対する停止能力が異なる２つ以上の停止方法を有し、前記モータの駆動と停止を制御するコントローラを備え、前記コントローラは、前記第一の用紙検出器が所定タイミングで用紙を検知していない場合、前記第二の用紙検出器が用紙を検知していなければ、複数の停止方法のうち停止能力の高い第一の停止方法で前記モータを停止させることを特徴とする画像形成装置。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
（２）前記コントローラは、前記第一の用紙検出器が前記所定タイミングで用紙を検知していない場合、前記第二の用紙検出器が用紙を検知していれば、前記第一の停止方法よりも停止能力の低い第二の停止方法で前記モータを停止させることを特徴とする前記（１）記載の画像形成装置。
【手続補正６】
【補正対象書類名】明細書
【補正対象項目名】００１２
【補正方法】変更
【補正の内容】
【００１２】
（３）前記コントローラは、前記第二の用紙検出器が用紙を検知していない場合、前記用紙の長さが所定の長さよりも長ければ、前記第一の停止方法よりも停止能力の低い第二の停止方法で前記モータを停止させることを特徴とする前記（１）記載の画像形成装置。
【手続補正７】
【補正対象書類名】明細書
【補正対象項目名】００１３
【補正方法】変更
【補正の内容】
【００１３】
（４）前記コントローラは、前記第二の用紙検出器が用紙を検知していない場合、前記用紙の長さが前記所定の長さ以下であれば、前記第一の停止方法で前記モータを停止させることを特徴とする前記（１）記載の画像形成装置。
【手続補正８】
【補正対象書類名】明細書
【補正対象項目名】００１４
【補正方法】変更
【補正の内容】
【００１４】
（５）前記第一の停止方法は、前記モータを逆回転させる駆動電流を流す逆転ブレーキであることを特徴とする前記（１）記載の画像形成装置。
【手続補正９】
【補正対象書類名】明細書
【補正対象項目名】００１５
【補正方法】変更
【補正の内容】
【００１５】
（６）前記第二の停止方法は、前記モータの駆動電流の流れる回路をショートさせるショートブレーキであることを特徴とする前記（２）記載の画像形成装置。
【手続補正１０】
【補正対象書類名】明細書
【補正対象項目名】００１６
【補正方法】変更
【補正の内容】
【００１６】
（７）更に、前記定着ローラの上流側に配置され、用紙を検知する第三の用紙検出器を備え、前記第一の用紙検出器が前記所定タイミングで用紙を検知しておらず且つ前記第二の用紙検出器が用紙を検知していないことに応じて前記コントローラが前記モータを停止させる場合、前記第三の用紙検出器が用紙を一度検知してからその後に検知しなくなくなるまでの時間と前記用紙の長さ分の搬送時間との差が一定時間以上あれば、前記コントローラは前記第一の停止方法よりも停止能力の低い第二の停止方法で前記モータを停止させることを特徴とする前記（１）記載の画像形成装置。
【手続補正１１】
【補正対象書類名】明細書
【補正対象項目名】００１７
【補正方法】変更
【補正の内容】
【００１７】
（８）更に、前記定着ローラの上流側に配置され、用紙を検知する第三の用紙検出器を備え、前記第一の用紙検出器が前記所定タイミングで用紙を検知しておらず且つ前記第二の用紙検出器が用紙を検知していないことに応じて前記コントローラが前記モータを停止させる場合、前記第三の用紙検出器が用紙の後端を検知したことに応じて前記第一の停止方法で前記モータを停止させることを特徴とする前記（１）記載の画像形成装置。